(57)【特許請求の範囲】
【請求項１】
裁断方向に配置されたフレームと、該フレームに沿って走行する走行部材と、該走行部材に固定され、畳床の表面から一定寸法だけ下がった裁断面の一点を旋回中心として共有する複数の円弧状の長穴をあけた支持用基板と、
上記支持用基板の複数の円弧状の長穴にそれぞれ嵌挿する複数のピンを植設した刃物用基板と、該刃物用基板に固定された架台に搭載されてモータにより回転される円形の裁断刃とよりなる刃物アッセンブリと、
上記支持用基板に対する上記刃物用基板の相対位置を、上記旋回中心を軸としてずらせる手段とを具備し、
上記刃物用基板の旋回により円形の裁断刃の角度を設定することを特徴とする畳床裁断装置。
【請求項２】
円形の裁断刃により畳床の裁断に先立って畳床の上部を表面に対して直角に裁断する先裁刃を走行部材に設けたことを特徴とする請求項１に記載の畳床裁断装置。
【請求項３】
フレームの下面に畳床を押さえ付ける床押えを設けたことを特徴とする請求項１に記載の畳床裁断装置。
【請求項４】
床押えの下面に厚み補正用のスペーサを設けて、厚みの薄い畳床の裁断に適用することを特徴とする請求項１に記載の畳床裁断装置。
【発明の詳細な説明】
【技術分野】
【０００１】
この発明は、縁無し畳および縁付き畳に適用する畳床裁断装置に関し、畳床の周囲を裁断する刃物の傾斜角度を容易に調整できるように構成したものである。
【背景技術】
【０００２】
畳を製造する際に、畳表を縫い付ける前に、畳床の框を所定の寸法に裁断している。この裁断する角度は、厚みの厚い畳（一般に３０ｍｍから６０ｍｍ）の場合には、畳床の表面に対して約８２度（９０−８度）の鋭角に裁断し、厚みの薄い畳（一般に１０ｍｍから３０ｍｍ未満）の場合には、畳床の表面に対して畳床を約７７度（９０−１３度）の鋭角に裁断して、畳表を縫い付けている。
【０００３】
クセを取りながら畳床を裁断する装置としては、下記特許文献などに開示されている畳床の裁断装置が従来より知られている。
【特許文献１】特開平９−２５０２２９号公報
【特許文献２】特開２００１−３１４６７６号公報
【発明の開示】
【発明が解決しようとする課題】
【０００４】
畳の裁断する角度は、厚みの厚い畳の場合には、図８（ａ）に示すように、畳床の表面に対して約８２度（９０−８度）の鋭角に裁断している。
【０００５】
そして、厚みの厚い畳床の框を裁断する場合には、図８（ａ）に示すように、畳床の表面に対して角部を直角に裁断し、畳床の表面から高さＨ（約１３ｍｍ）下がった点から約８２度（９０−８度）の角度に裁断して、畳表の藺草を折り曲げたときに生じる膨らみを収める空間を形成している。
【０００６】
厚みの薄い畳床（一般に１０〜３０ｍｍ未満）の場合には、図８（ｂ）に示すように、畳床の表面に対して約７７度（９０−１３度）の鋭角に裁断している。また、藺筋と直交する方向（藺草を折り曲げる方向）に当たる面を約７７度の鋭角に裁断し、藺筋と平行な方向に当たる面を約８２度の鋭角に裁断することも行われている。そして、このように裁断した畳床に畳表92を縫い付けて畳を製造している。
【０００７】
しかし、従来の畳床裁断装置においては、裁断刃の取付角度が一定であって裁断角度を変化させたり調整する手段を備えていなかった。
【０００８】
そこで、この発明は、このような課題を解決するために考えられたもので、裁断刃の角度の変化や調整を容易に行い得るように構成した畳床裁断装置を提供することを目的とするものである。
【課題を解決するための手段】
【０００９】
この発明の畳床裁断装置は、裁断方向に配置されたフレームと、このフレームに沿って走行する走行部材と、この走行部材に固定され、畳床の表面から一定寸法だけ下がった裁断面の一点を旋回中心として共有する複数の円弧状の長穴をあけた支持用基板と、上記支持用基板の複数の円弧状の長穴にそれぞれ嵌挿する複数のピンを植設した刃物用基板と、この刃物用基板に固定された架台に搭載されてモータにより回転される円形の裁断刃とよりなる刃物アッセンブリと、上記支持用基板に対する上記刃物用基板の相対位置を、上記旋回中心を軸としてずらせる手段とを具備し、上記刃物用基板の旋回により円形の裁断刃の角度を設定するように構成したものである。
【発明の効果】
【００１０】
この発明の畳床裁断装置によると、藺筋と直交する方向（藺草を折り曲げる方向）や藺筋と平行な方向（藺草の配列方向と平行な方向）に畳表を折り曲げて縁付き畳、縁無し畳などの製造に際して、畳床の裁断角度の変化や調整を容易に行い得るので、各種の畳の製造に対応することができる。すなわち、厚みの厚い畳を製造する場合には、例えば、約８２度の鋭角に裁断刃の角度を設定し、薄い畳を製造する場合においては、例えば、約７７度の鋭角に裁断刃の角度を変更する作業を簡素化できる。
支持用基板に設けられた複数の円弧状の長穴は、裁断面を通る一点の旋回中心を共有させているので、円弧状の長穴にそれぞれ嵌挿する複数のピンを植設した刃物用基板の旋回により、畳の厚みが変わっても旋回中心の位置が一定であるから、裁断精度の良い畳床裁断装置の提供ができる。
また、薄い畳を製造する場合には、厚み補正用のスペーサを使用することによって、薄い畳の上面に刃物用基板の旋回中心を位置させることができ、畳の上面の裁断位置が刃物の角度を変更しても変わらない状態で畳床の裁断角度の変化や調整を容易に行い得る構成とすることができる。
【発明を実施するための最良の形態】
【００１１】
畳を製造する際には、畳表を縫い付ける前に、畳床の框を所定の寸法に裁断して畳表を縫い付けている。
【００１２】
縁付き畳と同様に、畳床９の表面に対して約８２度（９０−８度）の鋭角に裁断して、藺筋と直交する方向（藺草を折り曲げる方向）に畳表92を折り曲げて縁無しの薄い畳を製造すると、図８（ｂ）に示すように藺草を畳床９に沿って折曲して畳床下方で縫着を行っても、上部では畳床９にぴったりと沿わずに畳表92には膨らみを生じてしまう。そして、畳を部屋に敷き込んだときに、畳表も厚みが数ミリあり腰が強いために、膨らみが影響して薄い畳床９が反って、畳の一部が浮き上がるなどの問題が発生することがある。
【００１３】
そこで、縁無しの薄い畳を製造する場合には、図８（ｂ）に示すように、畳床９の表面に対して畳床９を約７７度（９０−１３度）の鋭角に裁断して、図８（ｄ）に示すように畳表92の藺草を折り曲げたときに生じる膨らみを収める空間を形成している。
【００１４】
しかし、畳の厚みが厚い場合には、畳床９の角を鋭角に裁断して製造した畳を部屋に敷き込んだとき、隣接する畳同士の角部が線接触すると畳床９は厚くて固く、角部が傷み易いので、厚みの厚い畳を製造する場合には、図８（ａ）に示すように、角部の表面に続く上部の一部分を直角に裁断して、図８（ｃ）に示すように、隣接する畳同士を面接触させるように構成している。厚みの厚い畳は、畳床９が厚くてしっかりしているので薄い畳のように畳床９が反って浮き上がるようなことがない。
【００１５】
縁無し畳でも厚みの薄い畳床の場合には、角部に隣接する畳同士が面接触する部分を形成すると畳床９が反って浮き上がるので、面接触させる部分を形成せずに、畳を部屋に敷き込んだときに、隣接する畳同士を強く突き当てない程度の寸法に畳床を裁断して畳表を縫い付けている。そして、約７７度で裁断して畳表の膨らみを収める空間を形成するように構成して、畳表92の膨らみを収めることができる。
【００１６】
この発明の畳床を裁断する裁断装置は、このような種々の畳床の裁断に適用できるように構成したものである。
【００１７】
この発明の裁断装置は、図９の正面図および図１０の側面図に示すように、スクリューによって基台上で互いに反対方向へ同じ距離だけ移動して間隔を変化できる一対のＩ型チャンネルよりなるフレーム１（図２参照）と、この両フレーム１に沿って走行する一対の走行部材２（図２参照）と、この走行部材２に取り付けられた一対の刃物アッセンブリＡ（図１参照）とにより構成される。
【００１８】
図１に示すように、Ｉ型チャンネルよりなるフレーム１に上下一対のレール11、12を設け、このレール11、12に沿って走行部材２を走行させる。この走行部材２には、鉄板で作った支持用基板３が固定されている。このフレーム１は、シリンダ・ピストン15（図１０参照）によって上下に昇降させられる。
【００１９】
走行部材２に固定された支持用基板３には、図２に示すように、４つの円弧状の長穴31〜34があけられており、これら４つの円弧状の長穴31〜34の円弧の中心は、すべて裁断面を通る一点の旋回中心Ｐを共有している。この旋回中心Ｐは、畳床９の表面から一定寸法Ｈ（図４参照）だけ下がった裁断面に設定されている。この支持用基板３には、さらに、固定用ボルト49を挿通する４つの円弧状の長穴35〜38があけられている。
【００２０】
さらに、走行部材２には、図３に示すように、畳床の角部を直角に所定深さＨ以上に予め裁断しておくための先裁刃Ｃが着脱可能に取り付けられている。
【００２１】
図２に示すように、Ｉ型チャンネルよりなるフレーム１の下面には、畳床９を押さえ付ける断面形状が山形の床押え13が固定されおり、この床押え13には、畳床９に突き刺して畳床９の横ずれを防ぐ複数本のピン14が下向きに植設されている。
【００２２】
刃物アッセンブリＡは、図１に示すように、刃物用基板４に架台５を固定し、この架台５に一対の軸受51、51を設け、両軸受51、51に回転軸52を挿通して、回転軸52の一端に円形の裁断刃Ｂを取り付け、回転軸52の他端に第１のプーリ53を固定する。さらに、架台５にモータ54を搭載して、モータ54の回転軸の第２のプーリ55と第１のプーリ53との間にベルト56を掛けて、円形の裁断刃Ｂを回転させるように構成されている。
【００２３】
図１に示すように、刃物用基板４には、支持用基板３の４つの円弧状の長穴31〜34（図２参照）に嵌挿する４つのガイドピン41〜44が植設されており、さらに、支持用基板４の４つの長穴35〜38に挿通する固定用ボルト49をねじ込む４つのねじ穴45〜48があけられている。
【００２４】
支持用基板３の円弧状の４つの長穴31〜34に、刃物用基板４に植設した４本のガイドピン41〜44をそれぞれ嵌挿して、支持用基板３と刃物用基板４とを密着させ、支持用基板３の４つの長穴35〜38を経て固定用ボルト49を刃物用基板４のねじ穴45〜48にねじ込むことにより、支持用基板３に対して刃物用基板４を密着させて固定する。
【００２５】
刃物用基板４の４本のガイドピン41〜44が支持用基板３の４つの円弧状の長穴31〜34の中を移動し得る一定角度範囲（例えば、８〜１３度）において、支持用基板３に対する刃物用基板４の相対角度を調整するために、刃物用基板４の２つのガイドピン41、44のほぼ中間の裏面に六角ナット40を突出させるとともに、支持用基板３の角度調整支点の裏面にも六角ナット30を突出させる。
【００２６】
刃物用基板４の六角ナット40には、軸と直交する方向に螺子穴があけられており、支持用基板３の六角ナット30には、軸と直交する方向に貫通穴があけられており、これら２つの六角ナット30、40の間には棒材６が挿通されている。
【００２７】
この棒材６の支持用基板３の六角ナット30側は、段部を形成して細くされ、六角ナット30の貫通穴に挿通して先端に角度調整用ハンドル61が取り付けられ、棒材６の段部とハンドル61とにより六角ナット30を挟んで、ハンドル61を回しても棒材６が軸方向に動くことがないように構成されている。
【００２８】
一方、棒材６の刃物用基板４の六角ナット40側には、螺子62が形成されており、この螺子62を六角ナット40の螺子穴に螺入する。そして、ハンドル61を回すことにより、２つの六角ナット30、40の間隔を調整することができる。
【００２９】
なお、図２に示す支持用基板３の大きな穴39は、六角ナット40を取り付けたボルトが刃物用基板４とともに移動するとき、その移動を妨げないための逃がし穴である。
【００３０】
４つの固定用ボルト49を弛め、ハンドル61を回して２つの六角ナット30、40の間隔を変化させると、静止している支持用基板３に対して、刃物用基板４が円弧を画くように回動するので、円形の裁断刃Ｂは、旋回中心Ｐを軸として旋回することができる。
【００３１】
図４に示すように、円弧状の長穴31〜34の一端にピン41〜44をそれぞれ突き当てるように刃物用基板４を回動させると、畳床９の表面に対して約８２度（９０−８度）の鋭角に裁断刃Ｂを設定することができて、縁付き畳の畳床の裁断に適用することができる。
【００３２】
また、図５に示すように、円弧状の長穴31〜34の他端にピン41〜44をそれぞれ突き当てるように刃物用基板４を回動させると、畳床の表面に対して約７７度（９０−１３度）の鋭角に裁断刃Ｂを設定することができて、畳表92の藺筋と直交する方向（藺草を折り曲げる方向）に当たる畳床の裁断に適用することができる
【００３３】
ハンドル61を回して六角ナット30、40の間隔を調整することにより、畳床の表面に対して、裁断刃Ｂを８〜１３度の範囲において任意の角度に設定することができる。裁断刃Ｂの角度を設定したのち、４つの固定用ボルト49を締め付けて支持用基板３に対して刃物用基板４を固定する。
【００３４】
このようにして裁断刃Ｂを所定の角度に設定して、シリンダ・ピストン15によりフレーム１を降下させて床押え13を畳床９に押し付ける。このとき床押え13に下向きに植設された複数本のピン14を畳床９に突き刺して畳床を固定する。
【００３５】
そして、フレーム１のレール11、12に沿って走行部材２を走行させることにより、先裁刃Ｃにより畳床９を所定深さ（Ｈ）以上まで直角に裁断したのち、回転する裁断刃Ｂにより斜めに裁断する。
【００３６】
厚みの薄い畳床を裁断する場合には、図６および図７に示すように、畳床９と床押え13との間に厚みHのスペーサ91を挟み込むことにより、畳床９の表面に対して約８２度または約７７度の角度に設定して裁断することができる。勿論、ハンドル61を回して六角ナット30、40の間隔を調整することにより、畳床の表面に対して、裁断刃Ｂを８〜１３度の範囲において任意の角度に設定することができる。
【００３７】
裁断刃Ｂを回転する円形の刃物以外の刃物とすることができ、例えば、先裁刃Ｃのように固定されている裁断刃や、畳床を裁断する刃物の刃先が畳裁断面に沿った状態で揺動しながら切断する揺動刃とすることも可能である。
【図面の簡単な説明】
【００３８】
【図１】この発明の畳床裁断装置における走行部材および支持用基板を示す正面図、
【図２】この発明の畳床裁断装置における刃物アッセンブリを示す正面図、
【図３】刃物アッセンブリを示す側面図、
【図４】この発明の畳床裁断装置により厚さが厚い畳床を８２度の角度で裁断する状態を示す正面図、
【図５】厚さが厚い畳床を７７度の角度で裁断する状態を示す正面図、
【図６】厚さが薄い畳床を８２度の角度で裁断する状態を示す正面図、
【図７】厚さが薄い畳床を７７度の角度で裁断する状態を示す正面図、
【図８】畳床を裁断する形態を示す断面図、
【図９】この発明の畳床裁断装置の全体を示す正面図、
【図１０】この発明の畳床裁断装置の全体を示す側面図である。
【符号の説明】
【００３９】
１  フレーム
11、12  レール
13  床押え
14  ピン
15  シリンダ・ピストン
２  走行部材
３  支持用基板
31〜34  円弧状の長穴
30  六角ナット
４  刃物用基板
40  六角ナット
41〜44  ガイドピン
45〜48  ねじ穴
49  固定用ボルト
５  架台
51  軸受
52  回転軸
53、55  プーリ
54  モータ
55  ベルト
６  棒材
61  ハンドル
９  畳床
91  スペーサ
92  畳表
Ｐ  旋回中心
Ａ  刃物アッセンブリ
Ｂ  円形の裁断刃
Ｃ  先裁刃
【図１】
0005120935.tif 000002
【図２】
0005120935.tif 000003
【図３】
0005120935.tif 000004
【図４】
0005120935.tif 000005
【図５】
0005120935.tif 000006
【図６】
0005120935.tif 000007
【図７】
0005120935.tif 000008
【図８】
0005120935.tif 000009
【図９】
0005120935.tif 000010
【図１０】
0005120935.tif 000011